(57)【要約】【課題】晴眼者やロービジョンの人が確実容易に貼付けできる墨字付き点字シールを提供すること。【解決手段】本発明の墨字付き点字シール１０は、予め定めたそれぞれの文字の点字がそれぞれ１マスに打刻されるとともに、文字が重ねられて墨字印刷される墨字付１マスの点字ブロック２０と、予め別途定めたそれぞれの文字の点字がそれぞれ複数マスに打刻されるとともに、文字が重ねられて墨字印刷される墨字付複数マスの点字ブロック３０と、予め定めたそれぞれの単語の点字がそれぞれ複数マスに打刻されるとともに、単語が点字に重ねられて墨字印刷される墨字付単語マスの点字ブロック４０との３種類の前記点字ブロックの少なくとも１種類の点字ブロックを形成することとした。【選択図】図１
2011237584.tif 000002
【特許請求の範囲】
【請求項１】
予め定めたそれぞれの文字の点字がそれぞれ１マスに打刻されるとともに、前記予め定めた文字が前記点字に重ねられて墨字印刷される墨字付１マスの点字ブロックと、予め別途定めたそれぞれの文字の点字がそれぞれ複数マスに打刻されるとともに、前記予め別途定めた文字が前記点字に重ねられて墨字印刷される墨字付複数マスの点字ブロックと、予め定めたそれぞれの単語の点字がそれぞれ複数マスに打刻されるとともに、前記単語が前記点字に重ねられて墨字印刷される墨字付単語マスの点字ブロックとの３種類の前記点字ブロックの少なくとも１種類の点字ブロックを形成することを特徴とする墨字付き点字シール。
【請求項２】
前記予め定めた文字のそれぞれの前記墨字付１マスの点字ブロックと、前記予め別途定めた文字のそれぞれの前記複数マスの点字ブロックと、前記単語のそれぞれの前記墨字付単語マスの点字ブロックとをそれぞれ予め定めた所定数ずつ形成することを特徴とする請求項１に記載の墨字付き点字シール。
【請求項３】
前記墨字付１マスの点字ブロックと前記複数マスの点字ブロックとを形成する墨字付き点字シールと、前記墨字付単語マスの点字ブロックを形成する墨字付き点字シールとを備えることを特徴とする請求項１に記載の墨字付き点字シール。
【請求項４】
前記墨字付１マスの点字ブロックを形成する墨字付き点字シールと、前記複数マスの点字ブロックを形成する墨字付き点字シールと、前記墨字付単語マスの点字ブロックを形成する墨字付き点字シールとを備えることを特徴とする請求項１に記載の墨字付き点字シール。
【請求項５】
前記墨字付１マスの点字ブロックと前記複数マスの点字ブロックを形成する墨字付き点字シール、または前記墨字付単語マスの点字ブロックを所定数形成する墨字付き点字シールを備えることを特徴とする請求項１に記載の墨字付き点字シール。
【請求項６】
前記文字や前記単語とその他の表面とは色温度差を持つことを特徴とする請求項１から請求項５のいずれかに記載の墨字付き点字シール。
【請求項７】
前記色温度差は、前記文字や前記単語を黄色とし、前記その他の表面は黒色とすることを特徴とする請求項６に記載の墨字付き点字シール。
【請求項８】
前記点字ブロックは、上下判別機能部付とすることを特徴とする請求項１から請求項５のいずれかに記載の墨字付き点字シール。
【請求項９】
前記上下判別機能部は、正面左上のコーナに形成するＣ面の切欠部、正面上側に形成するＶ字形の切欠部、または、正面上側に連続して形成するＶ字形の連続切欠部とすることを特徴とする請求項８に記載の墨字付き点字シール。
【請求項１０】
貼付した前記点字ブロックの読取方向と、前記貼付した前記点字ブロックの読みはじめの位置とを案内する読取案内ブロックが設けられている附属点字シールを備えることを特徴とする請求項１から請求項５のいずれかに記載の墨字付き点字シール。
【請求項１１】
前記読取案内ブロックは、ロの字形状で断面が突形状の案内部が形成されているブロック、縦長形状で断面が突形状の案内部が形成されているブロック、三角形状で外側の断面が突形状の案内部が形成されているブロック、または、三角形状で全体の断面が突形状の案内部が形成されているブロックとすることを特徴とする請求項１０に記載の墨字付き点字シール。
【請求項１２】
前記点字ブロックは、点字列と端部との距離を、標準サイズとして規定された隣合う点字ブロックの点字列間の距離の２分の１とすることを特徴とする請求項１から請求項５のいずれかに記載の墨字付き点字シール。
【請求項１３】
前記墨字付き点字シールは、向き判別機能部付とすることを特徴とする請求項１から請求項５のいずれかに記載の墨字付き点字シール。
【請求項１４】
前記向き判別機能部は、正面左上のコーナに形成するＣ面の切欠部、正面上側に連続して形成するＶ字形の連続切欠部とすることを特徴とする請求項１３に記載の墨字付き点字シール。
【発明の詳細な説明】
【技術分野】
【０００１】
本発明は、晴眼者やロービジョンの人が確実容易に貼付けできる墨字付き点字シールに関する。
【背景技術】
【０００２】
従来の点字シールには、表面に点字が形成されるとともに裏面に粘着剤が塗布され、点字ブロックごとに取り剥がして貼付けできるものがある（例えば、特許文献１参照）。
【０００３】
しかしながら、視覚障害者が使用するものに点字ブロックを晴眼者やロービジョンの人が貼付けるときには、間違って貼付けてしまう可能性や、貼付け作業が煩わしいという問題があった。点字シールの表面に文字などを印刷することも考えられてはいるが、やはり貼付け作業が煩わしいという問題があった。
【先行技術文献】
【特許文献】
【０００４】
【特許文献１】特開２０００−１９４２６４号公報
【発明の概要】
【発明が解決しようとする課題】
【０００５】
本発明は、上記の問題に鑑みてなされたものであって、晴眼者やロービジョンの人が確実容易に貼付けできる墨字付き点字シールを提供することを目的とする。
【課題を解決するための手段】
【０００６】
本発明の墨字付き点字シールは、予め定めたそれぞれの文字の点字がそれぞれ１マスに打刻されるとともに、前記予め定めた文字が前記点字に重ねられて墨字印刷される墨字付１マスの点字ブロックと、予め別途定めたそれぞれの文字の点字がそれぞれ複数マスに打刻されるとともに、前記予め別途定めた文字が前記点字に重ねられて墨字印刷される墨字付複数マスの点字ブロックと、予め定めたそれぞれの単語の点字がそれぞれ複数マスに打刻されるとともに、前記単語が前記点字に重ねられて墨字印刷される墨字付単語マスの点字ブロックとの３種類の前記点字ブロックの少なくとも１種類の点字ブロックを形成することとした。
【０００７】
また、前記予め定めた文字のそれぞれの前記墨字付１マスの点字ブロックと、前記予め別途定めた文字のそれぞれの前記複数マスの点字ブロックと、前記単語のそれぞれの前記墨字付単語マスの点字ブロックとをそれぞれ予め定めた所定数ずつ形成することとした。
【０００８】
また、前記墨字付１マスの点字ブロックと前記複数マスの点字ブロックとを形成する墨字付き点字シールと、前記墨字付単語マスの点字ブロックを形成する墨字付き点字シールとを備えることとした。
【０００９】
また、前記墨字付１マスの点字ブロックを形成する墨字付き点字シールと、前記複数マスの点字ブロックを形成する墨字付き点字シールと、前記墨字付単語マスの点字ブロックを形成する墨字付き点字シールとを備えることとした。
【００１０】
また、前記墨字付１マスの点字ブロックと前記複数マスの点字ブロックを形成する墨字付き点字シール、または前記墨字付単語マスの点字ブロックを所定数形成する墨字付き点字シールを備えることとした。
【００１１】
また、前記文字や前記単語とその他の表面とは色温度差を持つこととした。
【００１２】
また、前記色温度差は、前記文字や前記単語を黄色とし、前記その他の表面は黒色とすることとした。
【００１３】
また、前記点字ブロックは、上下判別機能部付とすることとした。
【００１４】
また、前記上下判別機能部は、正面左上のコーナに形成するＣ面の切欠部、正面上側に形成するＶ字形の切欠部、または、正面上側に連続して形成するＶ字形の連続切欠部とすることとした。
【００１５】
また、貼付した前記点字ブロックの読取方向と、前記貼付した前記点字ブロックの読みはじめの位置とを案内する読取案内ブロックが設けられている附属点字シールを備えることとした。
【００１６】
また、前記読取案内ブロックは、ロの字形状で断面が突形状の案内部が形成されているブロック、縦長形状で断面が突形状の案内部が形成されているブロック、三角形状で外側の断面が突形状の案内部が形成されているブロック、または、三角形状で全体の断面が突形状の案内部が形成されているブロックとすることとした。
【００１７】
また、前記点字ブロックは、点字列と端部との距離を、標準サイズとして規定された隣合う点字ブロックの点字列間の距離の２分の１とすることとした。
【００１８】
また、前記墨字付き点字シールは、向き判別機能部付とすることとした。
【００１９】
さらに、前記向き判別機能部は、正面左上のコーナに形成するＣ面の切欠部、正面上側に連続して形成するＶ字形の連続切欠部とすることとした。
【発明の効果】
【００２０】
本発明の墨字付き点字シールは、予め定めたそれぞれの文字の点字がそれぞれ１マスに打刻されるとともに、前記予め定めた文字が前記点字に重ねられて墨字印刷される墨字付１マスの点字ブロックと、予め別途定めたそれぞれの文字の点字がそれぞれ複数マスに打刻されるとともに、前記予め別途定めた文字が前記点字に重ねられて墨字印刷される墨字付複数マスの点字ブロックと、予め定めたそれぞれの単語の点字がそれぞれ複数マスに打刻されるとともに、前記単語が前記点字に重ねられて墨字印刷される墨字付単語マスの点字ブロックとの３種類の前記点字ブロックの少なくとも１種類の点字ブロックを形成することとしたため、文字や単語を確実容易に対象品に貼付けることができる。また、視覚障害者も信頼して対象品を認識することができる。さらに、文字や単語ごとに使用頻度に応じた必要数を形成することにより、貼付けのとき不足しないようにすることもできる。
【００２１】
また、前記予め定めた文字のそれぞれの前記墨字付１マスの点字ブロックと、前記予め別途定めた文字のそれぞれの前記複数マスの点字ブロックと、前記単語のそれぞれの前記墨字付単語マスの点字ブロックとをそれぞれ予め定めた所定数ずつ形成することとしたため、点字ブロックが不足することを防ぎ、文字や単語を確実容易に対象品に貼付けることができる。
【００２２】
また、前記墨字付１マスの点字ブロックと前記複数マスの点字ブロックとを形成する墨字付き点字シールと、前記墨字付単語マスの点字ブロックを形成する墨字付き点字シールとを備えることとしたため、点字ブロックが不足することを防ぎ、文字や単語を確実容易に対象品に貼付けることができる。
【００２３】
また、前記墨字付１マスの点字ブロックを形成する墨字付き点字シールと、前記複数マスの点字ブロックを形成する墨字付き点字シールと、前記墨字付単語マスの点字ブロックを形成する墨字付き点字シールとを備えることとしたため、点字ブロックが不足することを防ぎ、文字や単語を確実容易に対象品に貼付けることができる。
【００２４】
また、前記墨字付１マスの点字ブロックと前記複数マスの点字ブロックを形成する墨字付き点字シール、または前記墨字付単語マスの点字ブロックを所定数形成する墨字付き点字シールを備えることとしたため、点字ブロックが不足することを防ぎ、文字や単語を確実容易に対象品に貼付けることができる。
【００２５】
また、前記文字や前記単語とその他の表面とは色温度差を持つこととしたため、ロービジョンの人も文字や単語を確実容易に対象品に貼付けることができる。
【００２６】
また、前記色温度差は、前記文字や前記単語を黄色とし、前記その他の表面は黒色とすることとしたため、ロービジョンの人も文字や単語をより確実容易に対象品に貼付けることができる。
【００２７】
また、前記点字ブロックは、上下判別機能部付とすることとしたため、視覚障害者は、上下方向を容易に認識し信頼して対象品を認識することができる。
【００２８】
また、前記上下判別機能部は、正面左上のコーナに形成するＣ面の切欠部、正面上側に形成するＶ字形の切欠部、または、正面上側に連続して形成するＶ字形の連続切欠部とすることとしたため、視覚障害者は、上下方向をより容易に認識し信頼して対象品を認識することができる。
【００２９】
また、貼付した前記点字ブロックの読取方向と、前記貼付した前記点字ブロックの読みはじめの位置とを案内する読取案内ブロックが設けられている附属点字シールを備えることとしたため、視覚障害者は、点字ブロックの読取り方向と読みはじめの位置とを容易に認識し信頼して対象品を認識することができる。
【００３０】
また、前記読取案内ブロックは、ロの字形状で断面が突形状の案内部が形成されているブロック、縦長形状で断面が突形状の案内部が形成されているブロック、三角形状で外側の断面が突形状の案内部が形成されているブロック、または、三角形状で全体の断面が突形状の案内部が形成されているブロックとすることとしたため、視覚障害者は、点字ブロックの読取り方向と読みはじめの位置とをより容易に認識し信頼して対象品を認識することができる。
【００３１】
また、前記点字ブロックは、点字列と端部との距離を、標準サイズとして規定された隣合う点字ブロックの点字列間の距離の２分の１とすることとしたため、視覚障害者の点字の誤認識を避けることができる。
【００３２】
また、前記墨字付き点字シールは、向き判別機能部付とすることとしたため、視覚障害者は、墨字付き点字シールの向きを容易に認識し、信頼して点字を認識することができる。
【００３３】
さらに、前記向き判別機能部は、正面左上のコーナに形成するＣ面の切欠部、正面上側に連続して形成するＶ字形の連続切欠部とすることとしたため、墨字付き点字シールの向きをより容易に認識し、信頼して点字を認識することができる。
【図面の簡単な説明】
【００３４】
【図１】本発明の第１の実施の形態の墨字付き点字シールの平面図を示す。
【図２】本発明の第１の実施の形態の墨字付き点字シールの表面シートに色温度差を付けたときの平面図を示す。
【図３】本発明の第１の実施の形態の墨字付き点字シールの点字ブロックを上下判別機能部付とした図を示し、図３（ａ）、（ｂ）、（ｃ）はそれぞれの実施例の平面図を示す。
【図４】貼付けられた点字の文字列の読取案内となる読取案内ブロックの図を示し、図３（ａ）、（ｂ）、（ｃ）、（ｄ）はそれぞれの実施例の平面図を示す。
【図５】点字の文字列の読取案内ブロックを形成した附属点字シールの図を示し、図５（ａ）は、読取案内ブロックを形成したシールの平面図を示し、図５（ｂ）は、読取案内ブロックを点字の文字列の端部に貼付けたときの平面図を示す。
【図６】文字や単語が印刷される点字ブロック同士を隣り合わせにしたときの平面図を示す。
【図７】本発明の第１の実施の形態の墨字付き点字シールを向き判別機能部付とした図を示し、図７（ａ）、（ｂ）はそれぞれの実施例の平面図を示す。
【図８】本発明の第２の実施の形態の墨字付き点字シールの平面図を示す。
【図９】本発明の第３の実施の形態の墨字付き点字シールの平面図を示す。
【発明を実施するための形態】
【００３５】
以下、本発明の実施の形態の墨字付き点字シールにつき説明する。
【実施例１】
【００３６】
図１は、本発明の第１の実施の形態の墨字付き点字シールの平面図を示す。
【００３７】
図１に示すように、本発明の第１の実施の形態の墨字付き点字シール１０は、墨字付１マスの点字ブロック２０と、墨字付複数マスの点字ブロック３０と、墨字付単語マスの点字ブロック４０とが表面シート１１に形成されている。表面シート１１に形成された点字ブロック２０、３０、４０は、文字や単語ごとに少なくとも１個設けられ、粘着層を介し離剥紙にハーフカットされ取剥がし可能となっている。
【００３８】
墨字付１マスの点字ブロック２０は、「あいうえお」などの母音や、「あかさたな」などの子音の文字２１の点字２２がそれぞれ１マスごとに打刻されるとともに、打刻された点字２２に重ねられ文字２１が表面方面から墨字印刷され形成される。表面シート１１を透明とし、裏面方向からの墨字印刷をすることもできる。
【００３９】
墨字付複数マスの点字ブロック３０は、「がぎぐげご」などの濁音や、「きゃきゅきょ」などの拗音の文字３１の点字３２がそれぞれ２マスごとに打刻されるとともに、打刻された点字３２に重ねられ文字３１が表面方面から墨字印刷され形成される。
【００４０】
墨字付単語マスの点字ブロック４０は、「塩」、「砂糖」、「ソース」などの単語４１の点字４２がそれぞれ複数マスごとに打刻されるとともに、打刻された点字４２に重ねられ単語４１が表面方面から墨字印刷され形成される。
【００４１】
それぞれの点字ブロック２０、３０、４０は、使用される頻度に応じ、墨字付き点字シール１０に複数形成することができる。また、点字ブロック２０、３０、４０を対象品に貼付けるときには、離剥紙から取剥がし粘着層により貼付けることができる。
【００４２】
そのため、晴眼者は、文字または単語を１枚の墨字付き点字１０から確実容易に対象品に貼付けることができる。また、視覚障害者も信頼して対象品を認識することができる。また、文字や単語ごとに使用頻度に応じた必要数を形成するため、不足しないよう適切に貼付けをすることもできる。
【００４３】
図２は、本発明の第１の実施の形態の墨字付き点字シールの表面シートに色温度差を付けたときの平面図を示す。
【００４４】
図２に示すように、本発明の第１の実施の形態の墨字付き点字シール１０の表面シート１１は、色温度差印刷がされ、表面は黒色とし、点字ブロック２０、３０の文字２１、３１や、点字ブロック４０の単語４１は黄色としている。
【００４５】
ロービジョンの人は、点字ブロック２０、３０、４０を対象品に貼付けるとき、文字２１、３１や単語４１の識別がより容易となり対象品に貼付けることができる。
【００４６】
なお、色温度差の印刷は、黒色と黄色とに限らず、ロービジョンの人が識別容易のその他の色とすることもできる。
【００４７】
図３は、本発明の第１の実施の形態の墨字付き点字シールの点字ブロックを上下判別機能部付とした図を示し、図３（ａ）、（ｂ）、（ｃ）はそれぞれの実施例の平面図を示す。
【００４８】
図３（ａ）に示すように、点字ブロック２０ａは、正面左上のコーナにＣ面の切欠部２５ａが形成され、上下判別機能部となっている。そのため、視覚障害者は、対象品の上下が分かりにくい場合でも、コーナに触れることにより点字ブロック２０ａの上下を認識することができ、的確に文字２１ａを読取ることができる。
【００４９】
図３（ｂ）に示すように、点字ブロック２０ｂは、正面上側にＶ字形の切欠部２５ｂが形成され、上下判別機能部となっている。そのため、視覚障害者は、対象品の上下が分かりにくい場合でも、上側に触れることにより点字ブロック２０ｂの上下を認識することができ、的確に文字２１ｂを読取ることができる。
【００５０】
図３（ｃ）に示すように、点字ブロック２０ｃは、正面上側に連続してＶ字形の切欠部２５ｃが形成され、上下判別機能部となっている。そのため、視覚障害者は、対象品の上下が分かりにくい場合でも、上側に触れることにより点字ブロック２０ｃの上下を認識することができ、的確に文字２１ｃを読取ることができる。
【００５１】
図４は、貼付けられた点字の文字列の読取案内となる読取案内ブロックの図を示し、図４（ａ）、（ｂ）、（ｃ）、（ｄ）はそれぞれの実施例の平面図を示す。
【００５２】
図４（ａ）に示すように、読取案内ブロック５０ａは、ロの字形状で断面が突形状の案内部５５ａが形成され、貼付けられた点字の文字列の端部に貼付けられる。そのため、視覚障害者は、点字ブロックを貼付けた点字の文字列の読取方向が分かりにくい場合でも、点字の文字列の端部に貼付けられる読取案内ブロック５０ａの案内部５５ａに触れることにより文字列の読取方向を認識することができ、的確に点字の文字列を読取ることができる。また、読取案内ブロック５０ａの案内部５５ａに触れることにより、点字の文字列の配列位置が正確に分かり、点字の読みはじめの位置を認識することもできる。
【００５３】
図４（ｂ）に示すように、読取案内ブロック５０ｂは、縦長形状で断面が突形状の案内部５５ｂが形成され、貼付けられた点字の文字列の端部に貼付けられる。そのため、視覚障害者は、点字ブロックを貼付けた点字の文字列の読取方向が分かりにくい場合でも、点字の文字列の端部に貼付けられる読取案内ブロック５０ｂの案内部５５ｂに触れることにより文字列の読取方向を認識することができ、的確に点字の文字列を読取ることができる。また、読取案内ブロック５０ａと同様にして点字の読みはじめの位置を認識することができる。
【００５４】
図４（ｃ）に示すように、読取案内ブロック５０ｃは、三角形状で外側の断面が突形状の案内部５５ｃが形成され、貼付けられた点字の文字列の端部に貼付けられる。そのため、視覚障害者は、点字ブロックを貼付けた点字の文字列の読取方向が分かりにくい場合でも、点字の文字列の端部に貼付けられる読取案内ブロック５０ｃの案内部５５ｃに触れることにより文字列の読取方向を認識することができ、的確に点字の文字列を読取ることができる。また、読取案内ブロック５０ａと同様にして点字の読みはじめの位置を認識することができる。
【００５５】
図４（ｄ）に示すように、読取案内ブロック５０ｄは、三角形状で全体の断面が突形状の案内部５５ｄが形成され、貼付けられた点字の文字列の端部に貼付けられる。そのため、視覚障害者は、点字ブロックを貼付ける点字の文字列の読取方向が分かりにくい場合でも、点字の文字列の端部に貼付けられた読取案内ブロック５０ｄの案内部５５ｄに触れることにより文字列の読取方向を認識することができ、的確に点字の文字列を読取ることができる。また、読取案内ブロック５０ａと同様にして点字の読みはじめの位置を認識することができる。
【００５６】
図５は、点字の文字列の読取案内ブロックを形成した附属点字シールの図を示し、図５（ａ）は、読取案内ブロックを形成したシールの平面図を示し、図５（ｂ）は、読取案内ブロックを点字の文字列の端部に貼付けたときの平面図を示す。
【００５７】
図５（ａ）に示すように、附属点字シール５０には、面が突形状の案内部５５ａが形成されている読取案内ブロック５０ａと、縦長形状で断面が突形状の案内部５５ｂが形成されている読取案内ブロック５０ｂと、三角形状で外側の断面が突形状の案内部５５ｃが形成されている読取案内ブロック５０ｃと、三角形状で全体の断面が突形状の案内部５５ｄが形成されている読取案内ブロック５０ｄとが設けられている。
【００５８】
図５（ｂ）に示すように、読取案内ブロック５０ａは、貼付けられた点字の文字列５６の先端部に貼付けられ、視覚障害者は読取案内ブロック５０ａの案内部５５ａに触れることにより点字の文字列５６の読取方向を認識することができる。また、読取案内ブロック５０ａの案内部５５ａに触れることにより、点字の文字列の配列位置が正確に分かり、点字の読みはじめの位置を認識することもできる。
【００５９】
また、読取案内ブロック５０ｂ、５０ｃ、５０ｄについても、同様にして、点字の文字列の読取方向と、点字の読みはじめの位置とを認識することができる。
【００６０】
図６は、文字や単語が印刷される点字ブロック同士を隣り合わせにしたときの平面図を示す。
【００６１】
図６に示すように、文字や単語が印刷される点字ブロック１６ａ、１６ｂが隣り合わせにされるとき、点字列Ｒと端部Ｔとの距離Ｄは、隣合う点字間の標準サイズの２分の１とする。そのため、点字の誤認識を避けることができる。
【００６２】
図７は、本発明の第１の実施の形態の墨字付き点字シールを向き判別機能部付とした図を示し、図７（ａ）、（ｂ）はそれぞれの実施例の平面図を示す。
【００６３】
図７（ａ）に示すように、墨字付き点字シール１０は、正面左上のコーナにＣ面の切欠部１２ａが形成され、向き判別機能部となっている。そのため、視覚障害者は、対象品の向きが分かりにくい場合でも、コーナに触れることにより向きを認識することができ、的確に文字や単語を読取ることができる。
【００６４】
図７（ｂ）に示すように、墨字付き点字シール１０は、正面上側に連続してＶ字形の切欠部１２ｂが形成され、向き判別機能部となっている。そのため、視覚障害者は、対象品の上下が分かりにくい場合でも、上側に触れることにより向きを認識することができ、的確に文字や単語を読取ることができる。
【実施例２】
【００６５】
図８は、本発明の第２の実施の形態の墨字付き点字シールの平面図を示す。
【００６６】
図８に示すように、本発明の第２の実施の形態の墨字付き点字シールは、墨字付き点字シール１０Ａと、墨字付き点字シール１０Ｂとよりなる。墨字付き点字シール１０Ａは、墨字付１マスの文字の点字ブロック２０と、墨字付複数マスの文字の点字ブロック３０とが表面シート１１Ａに形成され、墨字付き点字シール１０Ｂは、墨字付単語マスの単語の点字ブロック４０が表面シート１１Ｂに形成されている。表面シート１１Ａに形成された文字の点字ブロック２０、３０と、表面シート１１Ｂに形成された単語の点字ブロック４０は、粘着層を介し離剥紙にハーフカットされ取剥がし可能となっている。文字の点字ブロック２０、３０を対象品に貼付けるときには、表面シート１１Ａの離剥紙から取剥がし粘着層により貼付け、単語の点字ブロック４０を対象品に貼付けるときには、表面シート１１Ｂの離剥紙から取剥がし粘着層により貼付けることができる。
【００６７】
そのため、晴眼者は、文字を墨字付き点字シール１０Ａより貼付け、単語を墨字付き点字シール１０Ｂより貼付け、文字や単語を確実容易に対象品に貼付けることができる。また、視覚障害者も信頼して対象品を認識することができる。
【実施例３】
【００６８】
図９は、本発明の第３の実施の形態の墨字付き点字シールの平面図を示す。
【００６９】
図９に示すように、本発明の第３の実施の形態の墨字付き点字シールは、墨字付き点字シール１０Ｃと、墨字付き点字シール１０Ｄと、墨字付き点字シール１０Ｅとよりなる。墨字付き点字シール１０Ｃは、墨字付１マスの文字の点字ブロック２０が表面シート１１Ｃに形成され、墨字付き点字シール１０Ｄは、墨字付複数マスの文字の点字ブロック３０が表面シート１１Ｄに形成され、墨字付き点字シール１０Ｅは、第２の実施の形態の墨字付き点字シール１０Ｂと同じであり、墨字付単語マスの単語の点字ブロック４０が表面シート１１Ｅに形成されている。表面シート１１Ａに形成された文字の点字ブロック２０と、表面シート１１Ｂに形成された文字の点字ブロック３０と、表面シート１１Ｂに形成された単語の点字ブロック４０は、それぞれ粘着層を介し離剥紙にハーフカットされ取剥がし可能となっている。文字の点字ブロック２０、３０を対象品に貼付けるときには、表面シート１１Ｃ、１１Ｄの離剥紙から取剥がし粘着層により貼付け、単語の点字ブロック４０を対象品に貼付けるときには、表面シート１１エの離剥紙から取剥がし粘着層により貼付けることができる。
【００７０】
そのため、晴眼者は、文字を墨字付き点字シール１０Ｃ、１０Ｄより貼付け、単語を墨字付き点字シール１０Ｅより貼付け、文字や単語を確実容易に対象品に貼付けることができる。また、視覚障害者も信頼して対象品を認識することができる。
【００７１】
なお、実施例１、２、３に限らず、墨字付き点字シール１０Ａや墨字付き点字シール１０Ｂ、１０Ｅを独立の墨字付き点字シールとすることもできる。
【００７２】
また、実施例２、３は、実施例１と同様に、墨字付き点字シールを向き判別機能部付とすることもできる。
【産業上の利用可能性】
【００７３】
本発明の墨字付き点字シールは、屋内にある製品に限らず、野外の様々のものにも適用することができる。
【符号の説明】
【００７４】
１０  墨字付き点字シール
１１  表面シート
２０  墨字付１マスの点字ブロック
２５ａ、２５ｂ、２５ｃ  切欠部
３０  墨字付複数マスの点字ブロック
４０  墨字付単語マスの点字ブロック
２１、３１、文字
２２、３２、４２  点字
４１  単語
５０ａ、５０ｂ、５０ｃ、５０ｄ  読取案内ブロック
５０  附属点字シール
【図１】
2011237584.tif 000003
【図２】
2011237584.tif 000004
【図３】
2011237584.tif 000005
【図４】
2011237584.tif 000006
【図５】
2011237584.tif 000007
【図６】
2011237584.tif 000008
【図７】
2011237584.tif 000009
【図８】
2011237584.tif 000010
【図９】
2011237584.tif 000011